(57)【特許請求の範囲】
【請求項１】
管状の織物からなるジャケットの内面にゴム又は合成樹脂からなる被覆層を設けると共に、前記ジャケットの外面に多数のドット状の被覆部をジャケット全体に間隔をおいて配置するか、或いは、ホース周方向に延びる複数本の環状の被覆部をホース長手方向に間隔をおいて配置し、該被覆部と非被覆部とがホース長手方向に交互に繰り返す模様を形成する合成樹脂製の保護層を形成し、該保護層の硬さをＪＩＳ−Ａ硬度で６０〜９５、該保護層の厚さを０．５〜２．０ｍｍ、該保護層のホース全長での総面積を前記ジャケットの表面積の２０〜８０％にした消防用ホース。
【請求項２】
前記ジャケットの織物を合成繊維のフィラメント糸で構成した請求項１に記載の消防用ホース。
【発明の詳細な説明】
【０００１】
【発明の属する技術分野】
本発明は、ジャケットの外面に保護層を設けた消防用ホースに関し、更に詳しくは、保護層による外面保護効果を十分に確保しながら、該保護層の形成に伴う柔軟性の低下を回避するようにした消防用ホースに関する。
【０００２】
【従来の技術】
消防用ホースは、管状の織物からなるジャケットの内面にゴム又は合成樹脂からなる被覆層を設け、この被覆層によって液密性を確保するようにしている。また、ジャケットの外面には合成樹脂製の保護層を設け、この保護層によってジャケット外面の耐摩耗性を高めている。上記保護層はジャケットを溶融状態の合成樹脂浴に浸漬することでジャケットの全面に形成されている。
【０００３】
しかしながら、上述のようにジャケットの全面に保護層を設けると、ホースの曲げ剛性が増大し、柔軟性が悪化するという問題があった。特に、消防用ホースは過酷な条件で路上を引き擦り回されることが多いため、耐久性の観点から保護層を設けることが必要条件であるが、このような保護層はホースを曲げ難くし、その結果として、消防用ホースの取り扱いや収納作業が困難になっていた。
【０００４】
【発明が解決しようとする課題】
本発明の目的は、柔軟性を損なうことなく保護層による外面保護効果を十分に確保することを可能にした消防用ホースを提供することにある。
【０００５】
【課題を解決する為の手段】
上記目的を達成するための本発明の消防用ホースは、管状の織物からなるジャケットの内面にゴム又は合成樹脂からなる被覆層を設けると共に、前記ジャケットの外面に多数のドット状の被覆部をジャケット全体に間隔をおいて配置するか、或いは、ホース周方向に延びる複数本の環状の被覆部をホース長手方向に間隔をおいて配置し、該被覆部と非被覆部とがホース長手方向に交互に繰り返す模様を形成する合成樹脂製の保護層を形成し、該保護層の硬さをＪＩＳ−Ａ硬度で６０〜９５、該保護層の厚さを０．５〜２．０ｍｍ、該保護層のホース全長での総面積を前記ジャケットの表面積の２０〜８０％にしたことを特徴とするものである。
【０００６】
このようにジャケット外面に被覆部と非被覆部とがホース長手方向に交互に繰り返す模様を形成する合成樹脂製の保護層を設け、その硬さ、厚さ、及びジャケット表面に対する総面積を設定することにより、保護層による外面保護効果を十分に発揮することができ、しかも消防用ホースの柔軟性を低下させることはない。
【０００７】
上記ジャケットの織物を合成繊維のフィラメント糸で構成することが好ましい。このようにフィラメント糸を使用した場合、繊維に対する合成樹脂等の馴染みが良好になる。
【０００８】
【発明の実施の形態】
以下、本発明の構成について添付の図面を参照して具体的に説明する。
【０００９】
図１は本発明の第１実施形態からなる消防用ホースを示すものである。図１において、ホース本体１０は管状の織物からなるジャケット１と、ジャケット１の内面に設けたゴム又は合成樹脂からなる被覆層２とを備えている。また、ジャケット１の外面には模様を持った合成樹脂製の保護層３ａが設けられている。この保護層３ａは多数のドット状の被覆部をジャケット全面に所定の間隔をおいて配置し、それ以外の領域を非被覆部とした模様を形成している。
【００１０】
図２は本発明の第２実施形態からなる消防用ホースを示すものである。図２において、ジャケット１の外面には模様を持った合成樹脂製の保護層３ｂが設けられている。この保護層３ｂはホース周方向に延びる複数本の環状の被覆部をホース長手方向に所定の間隔をおいて配置し、それ以外の領域を非被覆部とした模様を形成している。
【００１２】
上述した各実施形態からなる消防用ホースは、ジャケット１の外面にそれぞれ合成樹脂製の保護層３ａ又は３ｂを備えているので、これら保護層３ａ又は３ｂによりジャケット１を十分に保護することができ、しかも保護層３ａ又は３ｂがジャケット全面を被覆するのではなく任意の模様を形成しているので柔軟性も良好である。従って、本発明は消火作業における消防用ホースの取り扱いを容易にし、また消防用ホースを巻き取ったり、折り畳んで収納する際の作業性を大幅に向上することができる。
【００１３】
本発明において、保護層３ａ及び３ｂの構成材料としては、耐摩耗性に優れた塩化ビニル、ウレタン、ポリエステル、ゴムなどを用いることが好ましい。本発明の保護層３ａ及び３ｂの硬さはＪＩＳ−Ａ硬度で６０〜９５の範囲であるようにする。また、これら保護層３ａ及び３ｂの厚さは０．５〜２．０ｍｍにする。この厚さが０．５ｍｍ未満であると外面保護効果が不十分になり、逆に２．０ｍｍを超えるとホース重量を増大させてしまう。また、耐摩耗性と柔軟性とを両立させるために、保護層３ａ及び３ｂのホース全長での総面積はジャケット表面積の２０〜８０％に設定する。
【００１４】
上述した保護層３ａ及び３ｂは、ジャケット１を偏平に押し潰した状態で、スクリーン印刷やローラを用いた転写などの手法により、ジャケット１の外面に対して簡単に形成することができる。
【００１５】
また、ジャケット１を構成する織物にはポリエステル等の合成繊維を使用することができる。この織物にはフィラメント糸及び紡績糸のいずれを使用しても良いが、特にフィラメント糸を使用した場合、繊維に対する合成樹脂等の馴染みが良好になるので好ましい。一方、被覆層２の材料としては、天然ゴム（ＮＲ）やスチレンブタジエンゴム（ＳＢＲ）等のゴム、塩化ビニルやポリウレタンやポリエステル等の合成樹脂、又はこれらの混合物や誘導体等を使用することが可能である。
【００１６】
【発明の効果】
以上説明したように本発明によれば、管状の織物からなるジャケットの内面にゴム又は合成樹脂からなる被覆層を設けると共に、前記ジャケットの外面に多数のドット状の被覆部をジャケット全体に間隔をおいて配置するか、或いは、ホース周方向に延びる複数本の環状の被覆部をホース長手方向に間隔をおいて配置し、該被覆部と非被覆部とがホース長手方向に交互に繰り返す模様を形成する合成樹脂製の保護層を形成し、該保護層の硬さをＪＩＳ−Ａ硬度で６０〜９５、該保護層の厚さを０．５〜２．０ｍｍ、該保護層のホース全長での総面積を前記ジャケットの表面積の２０〜８０％にしたから、消防用ホースの柔軟性を損なうことなく保護層による外面保護効果を十分に確保することができ、それにより消防用ホースの取り扱いや収納作業を容易に行うことが可能になる。
【図面の簡単な説明】
【図１】本発明の第１実施形態からなる消防用ホースを示す斜視図である。
【図２】本発明の第２実施形態からなる消防用ホースを示す斜視図である。
【符号の説明】
１  ジャケット
２  被覆層
３ａ，３ｂ  保護層
１０  ホース本体
【図１】
0004615652.tif 000002
【図２】
0004615652.tif 000003